(57)【要約】【課題】従来の金属製の花瓶に関しては、四角錐形等の金属製の花瓶は、存在する。そして、こまの中で、鏡面仕上げをした構造がある。このような構造では、単なる光りの陰影及び／又はその光沢を楽しむものであり、またこの鏡面に、映し出される、例えば、机、テーブル、床面等のベースの色合いを楽しむものに留まっている。【構成】本発明は、短冊状で、中央部にくびれ部を備えた板材を複数枚製作し、複数枚の板材を捻って、上下側端部の捻りを、略１００〜１１０°とする構造であって、複数枚の捻り板の長手方向の左右側端部を順次接合し、捻り多角形の花瓶の外郭体を構成し、捻り多角形の花瓶の外郭体の上下側に、底板と、天板をそれぞれ溶接し、外郭体を鏡面に仕上げるとともに、天板の中心に開口部を設ける構成とした金属製の花瓶である。【選択図】図１−１
2008167775.tif 000002
【特許請求の範囲】
【請求項１】
短冊状で、中央部にくびれ部を備えた板材を複数枚製作し、この複数枚の板材を所定の角度で捻って、上下側端部の捻りを、略１００〜１１０°とし、望ましくは、略１０８°とする構造であって、この複数枚の捻り板の長手方向の左右側端部を順次接合し、捻り多角形の花瓶の外郭体を構成し、この捻り多角形の花瓶の外郭体の上下側に、底板と、天板をそれぞれ溶接し、この外郭体を鏡面に仕上げるとともに、天板の中心に開口部を設ける構成とした金属製の花瓶。
【請求項２】
請求項１に記載の短冊状で、中央部にくびれ部を備えた板材を複数枚製作し、この複数枚の板材を所定の角度で捻って、上下側端部の捻りを、略１００〜１１０°とし、望ましくは、略１０８°とする構造であって、
この複数枚の板材を、五枚とする構成とした五角錐形でなる金属製の花瓶。
【請求項３】
請求項２に記載の五枚の捻り板の長手方向の左右側端部を順次接合し、捻り五角形の花瓶の外郭体を構成し、この捻り五角形の花瓶の外郭体の長手方向の中央部に、くびれ部の溶接で形成される収れん捻り箇所を設け、この捻り多角形の花瓶の外郭体の上下側に、五角形の底板と、五枚の天板をそれぞれ溶接する構成とした五角錐形でなる金属製の花瓶。
【請求項４】
請求項２に記載の五枚の捻り板の長手方向の左右側端部を順次接合し、捻り五角形の花瓶の外郭体を構成した金属製の花瓶であって、
この捻り五角形の花瓶の外郭体の上側に溶接して形成した五枚の天板の中心に開口部を形成するとともに、この五枚の天板の接合部を隆起する構成とした五角錐形でなる金属製の花瓶。
【請求項５】
請求項２に記載の五枚の捻り板の長手方向の左右側端部を順次接合し、捻り五角形の花瓶の外郭体を構成し、この捻り五角形の花瓶の外郭体の長手方向の中央部に、くびれ部の溶接で形成される収れん捻り箇所を設け、この捻り多角形の花瓶の外郭体の上下側に、五角形の底板と、五枚の天板をそれぞれ溶接する構成とした金属製の花瓶であって、
この五枚の捻り板と、五枚の天板を、ＳｕＳ３１６とし、また五角形の底板を、ＳｕＳ３０４としたことを特徴とする構成とした五角錐形でなる金属製の花瓶。
【発明の詳細な説明】
【技術分野】
【０００１】
本発明は、金属製の花瓶であって、ＳｕＳ３１６とＳｕＳ３０４で構成し、バフ仕上げを介して表面を鏡面とすることを特徴とする五角錐形でなる金属製の花瓶に関する。
【背景技術】
【０００２】
金属製の花瓶に関しては、四角錐形等の金属製の花瓶は、存在する。そして、こまの中で、鏡面仕上げをした構造がある。このような構造では、単なる光りの陰影及び／又はその光沢を楽しむものであり、またこの鏡面に、映し出される、例えば、机、テーブル、床面等のベースの色合いを楽しむものに留まっている。
【０００３】
そして、先行文献を調査しても、この種の金属製の花瓶で、四角錐形等の構造は、散見されなかった。また、一方で、紙、プラスチック等の可撓性に富み、かつ折曲げ自在で折り線を設けることができる素材であり、方形状の素材半紙を、糊付けして、上下開放の四角錐体を形成し、この四角錐体を三分割し、その中心部を四角錐としてを残し、その両端部を同じ方向に捻ることで、この両端部をクロス状に密閉し、また捻りを開放することで、この両端部を開放し、前記中心部の四角錐に品物を収容可能とする構成であり、お菓子、小物等をリボン等の緊締材を使用せず、収容かつ取出し可能としたことを特徴とする文献がある。この文献は、実開昭６１−１６００２２号の「容器」である。
【０００４】
【特許文献１】実開昭６１−１６００２２号
【発明の開示】
【発明が解決しようとする課題】
【０００５】
前述した文献（１）は、小物入れの容器としては、重宝する。しかし、あくまで、小物入れの容器であり、この構造を利用して、多機能又は多用途として活用するには、不向きであり、かつ困難性がある。
【０００６】
殊に、両端部は捻りを介して密閉されるが、水密状に密閉される構造でないので、花瓶、流体容器としての利用は不可能であり、当然ながら、利用分野が限定されること、一面的な利用に留まること等の改良点がある。
【０００７】
さらに光りの陰影及び／又はその光沢を楽しむこと、また鏡面を利用し、この鏡面に映し出される、例えば、机、テーブル、床面等のベースの色合いを楽しむこと等は、到底、不可能であり、改良の余地が考えられる。勿論、この先行文献（１）は、この点に関しては、当初から意図しないので、一面では、当然とも考えられる。
【０００８】
そこで、本発明は、捻り多角形の花瓶の外郭体の上下側に、底板と、天板をそれぞれ溶接し、この天板の中心に開口部を設ける構成とした多角錐形の金属製の花瓶であって、その表面を、鏡面仕上げし、かつその長手方向の中央部に、くびれ部の溶接で形成される収れん捻り箇所を設けた（この収れん捻り箇所と、この収れん捻り箇所に形成される溶接角部とを主体として形成される）構造とし、焦点がずれた光りの陰影及び／又はその光沢を楽しむこと、またこれらから醸し出される色合いを楽しむことが可能な金属製の花瓶を提供すること等を意図する。
【０００９】
また、本発明は、この鏡面と、焦点がずれる構造とを利用し、この鏡面に映し出される、例えば、机、テーブル、床面等のベースの色合い及び／又は複合的な鏡面の色合いを楽しむことを可能とする金属製の花瓶を提供すること等を意図する。
【００１０】
さらに、本発明は、金属製の花瓶としての特徴を最大限に発揮するために、材料の選定と、バフ仕上げ加工との組合せを介して、品質のよい、価格的にも満足できる金属製の花瓶を提供すること等を意図する。
【課題を解決するための手段】
【００１１】
請求項１の発明は、（イ）  捻り多角形の花瓶の外郭体の上下側に、底板と、天板をそれぞれ溶接し、この天板の中心に開口部を設ける構成とした多角錐形の金属製の花瓶であって、その表面を、鏡面仕上げし、かつその長手方向の中央部に、くびれ部の溶接で形成される収れん捻り箇所を設けた（この収れん捻り箇所と、この収れん捻り箇所に形成される溶接角部とを主体として形成される）構造とし、焦点がずれた光りの陰影及び／又はその光沢を楽しむこと、またこれらから醸し出される色合いを楽しむことが可能な金属製の花瓶を提供すること等を意図する。
【００１２】
また、請求項１の発明は、（ロ）  この鏡面と、焦点がずれる構造とを利用し、この鏡面に映し出される、例えば、机、テーブル、床面等のベースの色合い及び／又は複合的な鏡面の色合いを楽しむことを可能とする金属製の花瓶を提供すること等を意図する。
【００１３】
さらに、請求項１の発明は、（ハ）  金属製の花瓶としての特徴を最大限に発揮するために、材料の選定と、バフ仕上げ加工との組合せを介して、品質のよい、価格的にも満足できる金属製の花瓶を提供すること等を意図する。
【００１４】
請求項１は、短冊状で、中央部にくびれ部を備えた板材を複数枚製作し、この複数枚の板材を所定の角度で捻って、上下側端部の捻りを、略１００〜１１０°とし、望ましくは、略１０８°とする構造であって、この複数枚の捻り板の長手方向の左右側端部を順次接合し、捻り多角形の花瓶の外郭体を構成し、この捻り多角形の花瓶の外郭体の上下側に、底板と、天板をそれぞれ溶接し、この外郭体を鏡面に仕上げるとともに、天板の中心に開口部を設ける構成とした金属製の花瓶である。
【００１５】
請求項２の発明は、請求項１の目的を達成すること、この目的を達成するのに最適な中央部にくびれ部を備えた板材と、この中央部にくびれ部を備えた板材で構成される捻り多角形の花瓶の外郭体を提供することを意図する。
【００１６】
請求項２は、請求項１に記載の短冊状で、中央部にくびれ部を備えた板材を複数枚製作し、この複数枚の板材を所定の角度で捻って、上下側端部の捻りを、略１００〜１１０°とし、望ましくは、略１０８°とする構造であって、
この複数枚の板材を、五枚とする構成とした五角錐形でなる金属製の花瓶である。
【００１７】
請求項３の発明は、請求項１と請求項２の目的を達成すること、この目的を達成するのに最適な捻り五角形の花瓶の外郭体を構成し、この捻り五角形の花瓶の外郭体で構成される五角錐形でなる金属製の花瓶を提供することを意図する。
【００１８】
請求項３は、請求項２に記載の五枚の捻り板の長手方向の左右側端部を順次接合し、捻り五角形の花瓶の外郭体を構成し、この捻り五角形の花瓶の外郭体の長手方向の中央部に、くびれ部の溶接で形成される収れん捻り箇所を設け、この捻り多角形の花瓶の外郭体の上下側に、五角形の底板と、五枚の天板をそれぞれ溶接する構成とした五角錐形でなる金属製の花瓶である。
【００１９】
請求項４の発明は、請求項１と請求項２の目的を達成すること、この目的を達成するのに最適な五角錐形でなる金属製の花瓶を提供することを意図する。
【００２０】
請求項４は、請求項２に記載の五枚の捻り板の長手方向の左右側端部を順次接合し、捻り五角形の花瓶の外郭体を構成した金属製の花瓶であって、
この捻り五角形の花瓶の外郭体の上側に溶接して形成した五枚の天板の中心に開口部を形成するとともに、この五枚の天板の接合部を隆起する構成とした五角錐形でなる金属製の花瓶である。
【００２１】
請求項５の発明は、請求項１と請求項２の目的を達成すること、この目的を達成するのに最適で、かつこの五角錐形でなる金属製の花瓶を構成する五枚の捻り板と、五枚の天板を、ＳｕＳ３１６とし、また五角形の底板を、ＳｕＳ３０４とした構造を提供することを意図する。
【００２２】
請求項５は、請求項２に記載の五枚の捻り板の長手方向の左右側端部を順次接合し、捻り五角形の花瓶の外郭体を構成し、この捻り五角形の花瓶の外郭体の長手方向の中央部に、くびれ部の溶接で形成される収れん捻り箇所を設け、この捻り多角形の花瓶の外郭体の上下側に、五角形の底板と、五枚の天板をそれぞれ溶接する構成とした金属製の花瓶であって、
この五枚の捻り板と、五枚の天板を、ＳｕＳ３１６とし、また五角形の底板を、ＳｕＳ３０４としたことを特徴とする構成とした五角錐形でなる金属製の花瓶である。
【発明の効果】
【００２３】
請求項１の発明は、短冊状で、中央部にくびれ部を備えた板材を複数枚製作し、複数枚の板材を所定の角度で捻って、上下側端部の捻りを、略１００〜１１０°とし、望ましくは、略１０８°とする構造であって、複数枚の捻り板の長手方向の左右側端部を順次接合し、捻り多角形の花瓶の外郭体を構成し、捻り多角形の花瓶の外郭体の上下側に、底板と、天板をそれぞれ溶接し、外郭体を鏡面に仕上げるとともに、天板の中心に開口部を設ける構成とした金属製の花瓶である。
【００２４】
従って、請求項１は、下記の効果を有する。
【００２５】
（イ）  捻り多角形の花瓶の外郭体の上下側に、底板と、天板をそれぞれ溶接し、この天板の中心に開口部を設ける構成とした多角錐形の金属製の花瓶であって、その表面を、鏡面仕上げし、かつその長手方向の中央部に、くびれ部の溶接で形成される収れん捻り箇所を設けた（この収れん捻り箇所と、この収れん捻り箇所に形成される溶接角部とを主体として形成される）構造とし、焦点がずれた光りの陰影及び／又はその光沢を楽しめること、またこれらから醸し出される色合いを楽しむことが可能な金属製の花瓶を提供できること等の特徴を有する。
【００２６】
また、（ロ）  この鏡面と、焦点がずれる構造とを利用し、この鏡面に映し出される、例えば、机、テーブル、床面等のベースの色合い及び／又は複合的な鏡面の色合いを楽しむことが可能な金属製の花瓶を提供できること等の特徴を有する。
【００２７】
さらに、（ハ）  金属製の花瓶としての特徴を最大限に発揮するために、材料の選定と、バフ仕上げ加工との組合せを介して、品質のよい、価格的にも満足できる金属製の花瓶を提供できること等の特徴を有する。
【００２８】
請求項２の発明は、請求項１に記載の短冊状で、中央部にくびれ部を備えた板材を複数枚製作し、複数枚の板材を所定の角度で捻って、上下側端部の捻りを、略１００〜１１０°とし、望ましくは、略１０８°とする構造であって、
複数枚の板材を、五枚とする構成とした五角錐形でなる金属製の花瓶である。
【００２９】
従って、請求項２は、請求項１の目的を達成できること、この目的を達成するのに最適な中央部にくびれ部を備えた板材と、この中央部にくびれ部を備えた板材で構成される捻り多角形の花瓶の外郭体を提供できること等の特徴を有する。
【００３０】
請求項３は、請求項２に記載の五枚の捻り板の長手方向の左右側端部を順次接合し、捻り五角形の花瓶の外郭体を構成し、捻り五角形の花瓶の外郭体の長手方向の中央部に、くびれ部の溶接で形成される収れん捻り箇所を設け、捻り多角形の花瓶の外郭体の上下側に、五角形の底板と、五枚の天板をそれぞれ溶接する構成とした五角錐形でなる金属製の花瓶である。
【００３１】
従って、請求項３は、請求項１と請求項２の目的を達成できること、この目的を達成するのに最適な捻り五角形の花瓶の外郭体を構成し、この捻り五角形の花瓶の外郭体で構成される五角錐形でなる金属製の花瓶を提供できること等の特徴を有する。
【００３２】
請求項４の発明は、請求項２に記載の五枚の捻り板の長手方向の左右側端部を順次接合し、捻り五角形の花瓶の外郭体を構成した金属製の花瓶であって、
捻り五角形の花瓶の外郭体の上側に溶接して形成した五枚の天板の中心に開口部を形成するとともに、五枚の天板の接合部を隆起する構成とした五角錐形でなる金属製の花瓶である。
【００３３】
従って、請求項４は、請求項１と請求項２の目的を達成できること、この目的を達成するのに最適な五角錐形でなる金属製の花瓶を提供できること等の特徴を有する。
【００３４】
請求項５の発明は、請求項２に記載の五枚の捻り板の長手方向の左右側端部を順次接合し、捻り五角形の花瓶の外郭体を構成し、捻り五角形の花瓶の外郭体の長手方向の中央部に、くびれ部の溶接で形成される収れん捻り箇所を設け、捻り多角形の花瓶の外郭体の上下側に、五角形の底板と、五枚の天板をそれぞれ溶接する構成とした金属製の花瓶であって、
五枚の捻り板と、五枚の天板を、ＳｕＳ３１６とし、また五角形の底板を、ＳｕＳ３０４としたことを特徴とする構成とした五角錐形でなる金属製の花瓶である。
【００３５】
従って、請求項５は、請求項１と請求項２の目的を達成できること、この目的を達成するのに最適で、かつこの五角錐形でなる金属製の花瓶を構成する五枚の捻り板と、五枚の天板を、ＳｕＳ３１６とし、また五角形の底板を、ＳｕＳ３０４とした構造を提供できること等の特徴を有する。
【発明を実施するための最良の形態】
【００３６】
先ず、図面の説明をすると、図１−１は五角錐形でなる金属製の花瓶を一面から視認した全体の斜視図、図１−２は五角錐形でなる金属製の花瓶を他面から視認した全体の斜視図、図２−１は五角錐形でなる金属製の花瓶を平面視した全体の平面図、図２−２は図１−１と、図１−２に示した花瓶の外郭形状と、その理論構成例を示した俯瞰模式図、図３は五角錐形でなる金属製の花瓶を裏面視した全体の裏面図、図４は五枚の捻り板素材の一枚を展開して示した模式図、図５は五枚の捻り板の一枚を示した斜視図、図６は花瓶の外郭斜視図である。
【００３７】
以下、本発明の好ましい一例であって、五角錐形でなる金属製の花瓶を基に説明する。
【００３８】
先ず、図４、図５において、五枚の捻り板を製作する順序を説明すると、図中１は中央部にくびれ部１００を備えた短冊状の板材であり、この板材１の上側１ａに対して、下側１ｂが、平面視した状態で、略７０°〜７２°変位した位置関係の捻り２を成形して捻り板３を形成する。この捻り板３を複数枚、この一例では、五枚作成する。尚、板材１の上側１ａと、下側１ｂには、冶具（図示せず）把持用の掴み代１００−１、１００−２をそれぞれ設ける。この掴み代１００−１、１００−２を、冶具を介して把持することで、板材１が冶具に支持されるので、後は、冶具を操作し、前記板材１に所定の角度の捻り  ２を入れる。これらの一連の作業で、前記捻り板素材３００が形成される。その後、この捻り板素材３００の両側に形成された掴み代１００−１、１００−２を切断することで、前記の捻り板３（捻り板材）が形成される。この捻り板３をこの例では五枚作成（製作）する。
【００３９】
次に、図４と図５において、製作された捻り板３で、花瓶の外郭体を作成する過程を説明すると、この捻り板３が五枚作成された段階で、各捻り板３の右側１ｃ、左側１ｄを順次溶接し、この五枚の捻り板３を順次、溶接作業することで、図６に示した花瓶５の外郭体５００が作成できる。この五枚の捻り板３の溶接作業は、美感と機能上で、内側より溶接されるが、一例である。
【００４０】
そして、最終の作業として、外郭体５００の上面５００ａに、五枚の天板素材６００を順次溶接し、花瓶５の天板６を作成する。この天板６には開口部８が形成される。図中１０は天板６にアクセントを付ける突出部位である。また外郭体５００の下面に底板１１を溶接する。この底板１１を溶接する。
【００４１】
このようにして作成した花瓶素材（図示せず）にバフ研磨を施すことで、外郭体５００及び／又は天板６には、鏡面仕上げによる鏡面５ａ、６ａが形成される。図１−１と図１２に示した状態であって、この花瓶５には、収れん捻り箇所５ｂと、螺旋形状の角部５０１が形成される。従って、この花瓶５に形成された収れん捻り箇所５ｂ及び／又は角部５０１と、鏡面５ａを介して、本発明が最も大切とする特徴、即ち、前述の「（ロ）  この鏡面５ａと、この鏡面５ａの焦点がずれる構造とを利用し、この鏡面５ａに映し出される、例えば、机、テーブル、床面等のベースの色合い及び／又は複合的な鏡面５ａの色合いを楽しむことが可能な金属製の花瓶５を提供できる。」ことであり、極めて有益である。そして、また、本発明は、天板６の鏡面６ａと、その突出部位１０を介して、前述の（ロ）の特徴と、花瓶５の上面の特徴である「色合い及び／又は複合的な鏡面６ａの色合いを楽しむことが可能な金属製の花瓶５を提供できる。」こと等は、その一面である。そして、本発明の図７、図８を視認すれば、花瓶５（捻り板３）の鏡面５ａに床面２０の模様２０ａ及び／又は光線（図示せず）の織成す、それぞれの模様（後述する）が表現されており、本発明の鏡面５ａの特徴が顕著に表現されている。この特徴は、本発明の構造に基づくものである。この図７は、床面２０の杢目の模様２０ａが、波の模様２０ａ１か、雲の模様２０ａ２等のように陰影摸様として反映される。また図８は、床面に付設した包装紙２１の茶色２１ａが、雲の模様２１ａ１か、神秘的な模様２１ａ２等のように陰影摸様となる。そして、図７、図８は、別紙の物件提出書の写真（１）、（２）において、カラーで示し、理解し易く、かつ美的に示してある。
【００４２】
尚、図２−２は図１−１と、図１−２に示した花瓶５の外郭形状と、その理論構成例を示した俯瞰模式図であって、上側１ａは下側１ｂに対して、僅かに小さい五角形とし、俯瞰視した状態で、右に捻り２を設けた構成であり、この捻り２の角度は、略１００〜１１０°とし、この例では略１０８°捻った構造である。また溶接は、捻り２と略同じ捻りを入れた直線形状とすることで、前述の各特徴が可能となる。
【００４３】
また図２−２、図４に示した記号と、数値の説明をすると、図２−２において、このＡ−Ａ‘は、捻り板素材３００の底辺を、またＢ−Ｂ‘は、捻り板素材３００の上辺を、それぞれ示しており、この捻り板素材３００を、図４の如く、芯線Ｃ−Ｃ‘を基準として捻り、捻り板３を形成する構造である。この製作かつ捻り作用を繰返して、花瓶５の本体を構成するのが、本発明である。そして、図面に示した数値は、本発明の好ましい一例であり、全体的な花瓶５のバランスを理解して頂くために示した参考数値である。
【図面の簡単な説明】
【００４４】
【図１−１】図１−１は五角錐形でなる金属製の花瓶を一面から視認した全体の斜視図
【図１−２】図１−２は五角錐形でなる金属製の花瓶を他面から視認した全体の斜視図
【図２−１】図２−１は五角錐形でなる金属製の花瓶を平面視した全体の平面図
【図２−２】図２−２は図１−１と、図１−２に示した花瓶の外郭形状と、その理論構成例を示した俯瞰模式図
【図３】図３は五角錐形でなる金属製の花瓶を裏面視した全体の裏面図
【図４】図４は五枚の捻り板素材の一枚を展開して示した模式図
【図５】図５は五枚の捻り板の一枚を示した斜視図
【図６】図６は花瓶の外郭斜視図
【図７】図７は、床面の杢目の模様が、花瓶の鏡面に、波の模様か、雲の模様等のように陰影（反映）されている斜視図
【図８】図８は、床面に付設した包装紙の茶色が、花瓶の鏡面に、雲の模様か、神秘的な模様等のように陰影されている斜視図
【符号の説明】
【００４５】
１              板材
１ａ            上側
１ｂ            下側
１ｃ            右側
１ｄ            左側
１００          くびれ部
１００−１      掴み代
１００−２      掴み代
２              捻り
３              捻り板
３００          捻り板素材
５              花瓶
５ａ            鏡面
５ｂ            収れん捻り箇所
５００          外郭体
５００ａ        上面
６              天板
６ａ            鏡面
６００          天板素材
８              開口部
１０            突出部位
２０            床面
２０ａ          模様
２０ａ１        波の模様
２０ａ２        雲の模様
２１            包装紙
２１ａ          茶色
２１ａ１        雲の模様
２１ａ２        神秘的な模様
【図１−１】
2008167775.tif 000003
【図１−２】
2008167775.tif 000004
【図２−１】
2008167775.tif 000005
【図２−２】
2008167775.tif 000006
【図３】
2008167775.tif 000007
【図４】
2008167775.tif 000008
【図５】
2008167775.tif 000009
【図６】
2008167775.tif 000010
【図７】
2008167775.tif 000011
【図８】
2008167775.tif 000012